(57)【特許請求の範囲】
【請求項１】
上面側緯糸と織り合わせる上面側経糸、下面側緯糸と織り合わせる下面側経糸、上面側緯糸と下面側緯糸の両方と織り合わせる経糸接結糸から構成されており、上面側経糸及び下面側経糸が上下に配置する上下経糸の組と、少なくとも１本が経糸接結糸である経糸接結糸の組とを有する工業用二層織物において、上下経糸の組を構成する上面側経糸の全て又は一部が上面側に現れる２箇所のナックルが欠如している不完全上面側経糸であり、該不完全上面側経糸の両側隣りに前記経糸接結糸の組を配置し、該経糸接結糸の組を構成する経糸接結糸及び＼又は上面側経糸が前記不完全上面側経糸のナックルが欠如した全部の部位を両側から補完することを特徴とする工業用二層織物。
【請求項２】
経糸接結糸の組を構成する２本の経糸のうち、一方または両方が隣接する不完全上面側経糸のナックルが欠如した部位を補完することを特徴とする、請求項１に記載の工業用二層織物。
【請求項３】
前記経糸接結糸が、上面側表面に１つのナックルを形成するか、または上面側緯糸に１本分以上離れた２つ以上のナックルを形成する組織であることを特徴とする、請求項１又は２に記載の工業用二層織物。
【発明の詳細な説明】
【技術分野】
【０００１】
本発明は、工業用二層織物に関し、詳しくは、繊維支持性、表面平滑性に優れ、剛性低下の影響もない工業用二層織物に関するものである。
【背景技術】
【０００２】
従来から工業用織物として経糸、緯糸で製織した織物が広く使用されており、例えば製紙用織物や搬送用ベルト、ろ布等があり、用途や使用環境に適した織物特性が要求されている。特に織物の網目を利用して原料の脱水等を行う製紙工程で使用される抄紙用織物での要求は厳しい。例えば、紙に織物のワイヤーマークが転写しにくい表面平滑性に優れた織物、また原料に含まれる余分な水分を十分脱水するための脱水性、過酷な環境下でも好適に使用できる程度の剛性、耐摩耗性を持ち合わせたもの、そして良好な紙を製造するために必要な条件を長期間持続することのできる織物が要求されている。その他にも繊維支持性、製紙の歩留まりの向上、寸法安定性、走行安定性等が要求されている。さらに近年では抄紙マシンが高速化しているため、それに伴い抄紙用織物への要求も一段と厳しいものとなっている。
特に工業用織物の中でも最も要求が厳しい抄紙用織物について説明すれば、ほとんどの工業用織物の要求とその解決について理解できる。そこで、以下抄紙用織物を一例として工業用織物における問題点を説明する。【０００３】
近年ではマシンの高速化に伴い、特に優れた脱水性、表面平滑性が要求されている。脱水性の向上を目的として特許文献１には、上面側経糸本数を下面側経糸より少なくすることで脱水性を向上させた製紙用織物が示されている。この織物は上面側経糸配置本数が少ないため、上面側表面に縦方向の溝が形成され脱水性向上に寄与する。しかし、実質的に経糸本数が減るため織物の縦方向の剛性が低下し、伸びやすい織物となってしまう。それ故、工業用織物として好適に使用することができなかった。【０００４】
また、製紙工程において上面側表面は原料受け取り面、湿紙との接触面となるため繊維支持性、表面平滑性が必要とされている。ただ単に上面側経糸を間引くだけでは原料が抜けてしまったり、紙にマークを与えてしまったりという問題を解決することができない。
【特許文献１】特開２００５−３５０８４４号公報
【発明の開示】
【発明が解決しようとする課題】
【０００５】
本発明は、経糸本数を減らすことなく、織組織によって上面側表面に縦方向に伸びる脱水溝を設け、通気性、繊維支持性、表面平滑性、剛性に優れた工業用二層織物を提供することを目的とする。
【課題を解決するための手段】
【０００６】
本発明に係る工業用二層織物の最大の特徴は、経糸本数を減らすことなく、織組織によって上面側表面に縦方向に伸びる脱水溝を形成した点にある。このような構造とすることで十分な脱水性、通気性を確保することができる。この構造は緯糸の打ち込み本数を増加させることができるため、密な表面となり表面平滑性が向上する。また、例えば、上面側組織を平織とした場合でも、縦溝が存在するため平織を構成する上面側経糸の配置間隔が大きく、通常の平織組織の織物に比べ上面側緯糸のクリンプ長さが長くなり、緯糸の打ち込み本数も増やすことができるため繊維支持性を向上させることができる。【０００７】
すなわち、本発明は上記課題を解決するために以下の構成を採用する。
（１）上面側緯糸と織り合わせる上面側経糸、下面側緯糸と織り合わせる下面側経糸、上面側緯糸と下面側緯糸の両方と織り合わせる経糸接結糸から構成されており、上面側経糸及び下面側経糸が上下に配置する上下経糸の組と、少なくとも１本が経糸接結糸である経糸接結糸の組とを有する工業用二層織物において、上下経糸の組を構成する上面側経糸の全て又は一部が上面側に現れる２箇所のナックルが欠如している不完全上面側経糸であり、該不完全上面側経糸の両側隣りに前記経糸接結糸の組を配置し、該経糸接結糸の組を構成する経糸接結糸及び＼又は上面側経糸が前記不完全上面側経糸のナックルが欠如した全部の部位を両側から補完することを特徴とする工業用二層織物である。ここで完全組織とは、織物組織の最小の繰り返し単位によって構成される組織のことである。
【０００８】
（２）経糸接結糸の組を構成する２本の経糸のうち、一方または両方が隣接する不完全上面側経糸のナックルが欠如した部位を補完することを特徴とする、上記（１）に記載の工業用二層織物である。
（３）前記経糸接結糸が、上面側表面に１つのナックルを形成するか、または上面側緯糸に１本分以上離れた２つ以上のナックルを形成する組織であることを特徴とする、上記（１）又は（２）に記載の工業用二層織物である。
【０００９】
本発明の織物を構成する経糸は、上面側緯糸と織り合わせる上面側経糸、下面側緯糸と織り合わせる下面側経糸、そして上面側緯糸と下面側緯糸の両方と織り合わせる経糸接結糸から構成されている。
上面側経糸と下面側経糸は上下に配置して上下経糸の組を形成している。そして、経糸接結糸は２本が交差部を形成するように隣接配置してなる経糸接結糸の組か、あるいは１本の経糸接結糸と下面側経糸からなる経糸接結糸の組か、あるいは１本の経糸接結糸と上面側経糸からなる経糸接結糸の組を形成している。経糸接結糸に関しては、いずれの組を配置しても構わない。【００１０】
そして、上面側経糸には、上面側の一部のナックルが欠如している不完全上面側経糸を配置する。一部のナックルが欠如しているとは、例えば平織の場合、通常は経糸が１本の緯糸の上、１本の緯糸の下を交互に通る繰り返しによって構成されているが、経糸が１本の緯糸の上を通った後、次いで３本の緯糸の下を通り、次いで１本の緯糸の上を通る組織としている場合等である。この場合、１つのナックルが欠如しているという。
ナックルとは経糸が１本（または２本）の緯糸の上、または下を通るところで緯糸に沿って屈曲している、織物表面に形成される織り合せ部をいう。【００１１】
そして、この不完全上面側経糸の少なくとも片側隣には必ず経糸接結糸の組が配置されており、不完全上面側経糸の欠如したナックルを補うように経糸接結糸の組の経糸接結糸または上面側経糸が上面側緯糸の上を通ってナックルを形成する組織とする。
不完全上面側経糸は少なくとも１箇所以上の上面側ナックルが欠如しており、その隣に配置している経糸接結糸または上面側経糸または経糸接結糸と上面側経糸によって補完される。補完する経糸接結糸や上面側経糸は表面に現れる部分で完全上面側経糸に寄り添うために上面側経糸間に縦方向の溝が形成される。
上面側層には不完全上面側経糸だけでなく、経糸の完全組織を構成する完全上面側経糸を配置しても構わない。完全上面側経糸とは、ナックルが欠如することなく一定パターンが繰り返されたものである。【００１２】
不完全上面側経糸の組織については、表面に形成するナックル数が少な過ぎると上面側緯糸と下面側緯糸の間を通る距離が長くなり、交絡部が少なくなるので剛性が低下し変形しやすい織物になってしまう。そのため、上面側組織を平織組織等の比較的交絡部の多い組織とするのが好ましい。２本の経糸接結糸、または経糸接結糸と上面側経糸または１本の経糸接結糸によって補完されるため、欠落ナックル数を完全組織中２つ程度にするのが好ましい。
その他の上面側表面組織としては、２本の上面側緯糸の上、次いで２本の上面側緯糸の下を通る組織等がある。また、不完全上面側経糸が経糸接結糸に補完されて形成される組織を平織組織とし、完全上面側経糸組織をその他の組織としても構わない。【００１３】
経糸接結糸の組織は、１本または２本の上面側緯糸の上を通る部分と、１本または複数本の下面側緯糸の下を通る部分を有する組織とするのが好ましい。経糸接結糸があまり上面側表面に多く現れる組織とすると、不完全上面側経糸の欠落部を多くする必要があり、また不完全上面側経糸に寄りにくくなるため好ましくない。経糸接結糸は１本、多くても２本の上面側緯糸の上を通る部分を１回または２回形成する組織とするのが好ましい。例えば、上面側表面に上面側緯糸１本分以上離れた２つのナックルを形成する組織等である。【００１４】
下面側層においては、他の下面側経糸の組織を崩さないような配置とすればよく、１本の下面側緯糸の下を通る箇所が複数箇所ある組織等でもよく、他には経糸接結糸が隣接する下面側経糸と同じ下面側緯糸の下側を揃って通る部分を有する組織であってもよく、特に限定されない。
経糸接結糸は上面側緯糸と織り合わされてナックルを形成した後、下層に潜って下面側緯糸と織り合わされ、再び上面側緯糸と織り合わされる組織である。このような組織であるため、織物内に大きな内部空間が形成され、十分なろ水性、通気性を確保できる。【００１５】
経糸接結糸と組を形成する上面側経糸の組織についても、経糸接結糸と同様に１本または２本の上面側緯糸の上を通る部分を１回または２回形成する組織とするのが好ましい。この上面側経糸も不完全上面側経糸の欠如したナックル部分を補完するものであり、経糸接結糸と組になっているので上面側表面組織を考慮して決定すればよい。【００１６】
経糸接結糸は不完全上面側経糸のナックルが欠如した部分を補完するものであるため、少なくとも不完全上面側経糸の片側隣に経糸接結糸の組を配置した構造とすればよく、両側隣に配置したものでもよい。好ましくは、経糸接結糸の組と不完全上面側経糸の組が交互に配置している組織とするとよい。【００１７】
補完の例としては、不完全上面側経糸のナックルが欠如した部位を、片側隣に配置した１組の経糸によって補完する図７のようなものや、不完全上面側経糸のナックルが欠如した部位を両側隣に配置する２組の経糸によって補完する図１，３，５のようなものがある。また、経糸接結糸の組を構成する２本の経糸の両方によって補完する図１，３のようなものや、組を構成する２本のうち１本の経糸によって補完するものがある。
経糸接結糸の組は２本の経糸接結糸又は１本の経糸接結糸と１本の上面側経糸又は１本の経糸接結糸と１本の下面側経糸から構成されており、そのうち経糸接結糸と上面側経糸が補完する糸である。【００１８】
ここで、経糸接結糸や上面側経糸のナックルが不完全上面側経糸のナックルが欠如した部分に移動して組織を補完し、移動することで上面側経糸間に縦溝が形成される理論について説明する。
上面側層において、上面側経糸のナックルが欠如した空間が存在すると、糸は均一になろうとそこを埋めるように経糸接結糸のナックルが移動する現象が生じる。さらに、経糸接結糸のナックルの移動を後押しする力が生じるような組織としているためナックルの移動は生じやすい。
ナックルの移動を後押しする力とは、斜め隣に存在する経糸ナックル同士が反発する力のことであり、この斜め隣に存在する２つの経糸ナックルとは、隣接する２本の経糸が隣接する上面側緯糸の上にそれぞれナックルを形成する組織の場合をいう。【００１９】
例えば、図１０に示すように、張力の掛かった経糸１の上を通る緯糸４が、その隣の経糸２との交点では経糸２の下を通り、また経糸２の上を通る緯糸３が、その隣の経糸１との交点では経糸１の下を通る２本の経糸と２本の緯糸が交差する部分を例にあげて説明すると、緯糸４は経糸１の上を通る交絡部では押し上げられて山になり、経糸２の下を通るところでは谷になる。一方、緯糸３は経糸２の上を通る交絡部では押し上げられて山になり、経糸１の下を通るところでは谷になる。このように、隣接する２本の経糸と２本の緯糸からなる４つの交点で経糸、緯糸の配置を上下逆の構造とすることで、谷にある経糸は山から離れる方向に移動しようとするため、隣接する経糸１と２は共に離れる方向（図１０の矢印方向）に動こうとする。これが反発する力である。この反発する力を利用することで経糸接結糸や上面側経糸のナックルは任意の場所に移動し、また移動したことで縦方向に伸びる縦溝が形成されるのである。【００２０】
使用する構成糸の線径については、緻密で平滑な表面とするために上面側表面を構成する上面側緯糸、上面側経糸は比較的線径の小さいものである方が好ましい。経糸接結糸は上面側経糸組織を補完するため上面側経糸と線径を同じにするとよい。緯糸については、上面側層は緻密な表面とするために、上面側緯糸の線径を比較的小さくする。そして下面側層はマシンのロール接触面側となり下面側表面は剛性や耐摩耗性が必要とされるため、下面側緯糸は比較的線径の大きいものである方が好ましい。また、上面側経糸、下面側経糸、経糸接結糸の線径を同じとしても、下面側経糸のみを大径としても構わない。上面側緯糸と下面側緯糸の配置比率は１：１であってもよく、その他２：１や３：２、４：３等適宜選択できる。下面側緯糸本数を上面側緯糸本数より少なくすることで横溝も形成され、縦溝と組み合わせることで脱水性、ろ水性がより向上する。【００２１】
本発明に使用される糸は用途によって選択すればよいが、例えば、モノフィラメントの他、マルチフィラメント、スパンヤーン、捲縮加工や嵩高加工等を施した一般的にテクスチャードヤーン、バルキーヤーン、ストレッチヤーンと称される加工糸、あるいはこれらを撚り合わせる等して組み合わせた糸が使用できる。また、糸の断面形状も円形だけでなく四角形状や星型等の短形状の糸や楕円形状、中空等の糸が使用できる。また、糸の材質としても、自由に選択でき、ポリエステル、ポリアミド、ポリフェニレンサルファイド、ポリフッ化ビニリデン、ポリプロピレン、アラミド、ポリエーテルエーテルケトン、ポリエチレンナフタレート、ポリテトラフルオロエチレン、綿、ウール、金属等が使用できる。もちろん、共重合体やこれらの材質に目的に応じてさまざまな物質を混合したり含有させた糸を使用しても良い。【００２２】
工業用織物としては種々の材料を用いることができるが、一般的には、上面側経糸、下面側経糸、経糸接結糸、上面側緯糸には剛性があり、寸法安定性に優れるポリエステルモノフィラメントを用いるのが好ましい。また、耐摩耗性が要求される下面側緯糸にはポリエステルモノフィラメントとポリアミドモノフィラメントを交互に配置する等、交織するのが剛性を確保しつつ耐摩耗性を向上できて好ましい。
【発明の効果】
【００２３】
本発明は、経糸本数を減らすことなく、織組織によって上面側表面に縦方向に伸びる脱水溝を設けることにより、繊維支持性、表面平滑性、剛性に優れた工業用二層織物を提供するという効果を奏する。
【発明を実施するための最良の形態】
【００２４】
以下、本発明に係る実施形態について図面を参照して説明する。
図１〜９は本発明に係る実施形態の例を示す図である。図１、３、５、７は意匠図であり、図２、４、６、８は各意匠図の経糸１〜４についての各断面図である。図９は経糸接結糸によって形成された織物の内部空間を示す。図１０は経糸１，２と緯糸３，４の交絡部を示した図であり、これを用いて以下に縦方向の溝を形成する理論について説明する。
ここで意匠図とは、織物組織の最小の繰り返し単位であって、この完全組織が上下左右に繋織されて織物全体の組織が形成される。意匠図において、経糸はアラビア数字、例えば１、２、３・・・で示した。また完全上面側経糸はｕを付した数字、不完全上面側経糸はｕ’を付した数字、経糸接結糸と組を形成している上面側経糸はｕ’’を付した数字、経糸接結糸はｂを付した数字、経糸接結糸ｂと組を形成する経糸接結糸はＢを付した数字、下面側経糸はｄを付した数字で表した。【００２５】
また上面側経糸（ｕ、ｕ’）と下面側経糸（ｄ）からなる上下経糸の組と、上面側経糸（ｕ’’）と経糸接結糸（ｂ）からなる経糸接結糸の組と、２本の経糸接結糸（ｂ、Ｂ）からなる経糸接結糸の組と、下面側経糸（ｄ）と経糸接結糸（ｂ）からなる組の場合がある。
緯糸はダッシュを付したアラビア数字、例えば１’、２’、３’・・・で示した。緯糸の配置比率によって上面側緯糸と下面側緯糸が上下に配置されている場合と、上面側緯糸のみの場合がある。ここで上面側緯糸はｕを付した数字、下面側緯糸はｄを付した数字で表した。【００２６】
また、×は上面側経糸が上面側緯糸の上側に位置してナックルを形成していることを示し、□は下面側経糸が下面側緯糸の下側に位置してナックルを形成していることを示す。◆は経糸接結糸が上面側緯糸の上側に位置してナックルを形成していることを示し、◇はその経糸接結糸が下面側緯糸の下側に位置してナックルを形成していることを示す。また、●も経糸接結糸が上面側緯糸の上側に位置してナックルを形成していることを示し、○はその経糸接結糸が下面側緯糸の下側に位置してナックルを形成していることを示す。意匠図中の矢印は経糸接結糸又は上面側経糸のナックルが不完全上面側経糸の欠如したナックルを補完する部分を指し示している。【００２７】
意匠図では糸が上下に正確に重なって配置されることになっているが、これは図面の都合上であって実際の織物ではずれて配置されていることがある。特に経糸接結糸は不完全経糸の欠如したナックルを補完するため、上面側経糸に接近し、そこには縦溝が形成される。つまり意匠図に示された重なりとは大きくずれている。【００２８】
（実施形態１）
図１及び図２は本発明に係る実施形態１の織物の意匠図及び経糸に沿った断面図であり、経糸１６本からなる１６シャフトの織物である。経糸２、４、６、８の一方が経糸接結糸ｂであり、もう一方が下面側経糸ｄである。経糸１、３、５、７は上面側経糸ｕ、ｕ’と下面側経糸ｄの組であり、上面側経糸１、５が不完全上面側経糸ｕ’であり、上面側経糸３、７は完全上面側経糸ｕを有する上下経糸の組である。
不完全上面側経糸はナックルが２箇所欠如した平織組織であり、その両側には経糸接結糸と下面側経糸からなる経糸接結糸の組が配置されている。そして、該不完全上面側経糸のナックルが欠如した部分をその両側に配置している経糸接結糸が形成するナックルで補完することで、上面側表面に上面側経糸１本分の平織組織を形成する。【００２９】
具体的には、図２に示す如く不完全上面側経糸１ｕ’は、上面側緯糸７’ｕ、１１’ｕの部分でナックルが欠如している平織組織である。そして、その片側隣の経糸接結糸２ｂは上面側緯糸１１’ｕと織り合わされてナックルを形成しており、不完全上面側経糸１ｕ’の欠如した部分を補完している。同様に、経糸接結糸８ｂは上面側緯糸７’ｕと織り合わされてナックルを形成しており、不完全上面側経糸１ｕ’の欠如した部分を補完している。これにより、両側の経糸接結糸は不完全上面側経糸に寄るため、意匠図上の経糸２、４、６、８の部分には縦方向に伸びる溝が形成され、織物全体として均一な間隔で溝が形成される。【００３０】
本実施形態１では、不完全上面側経糸は２つのナックルが欠如している組織であるが、あまり多くのナックルが欠如する組織だと上面側緯糸との交絡部が少なくなり剛性不足となってしまう。上面側緯糸においても同様である。また、ここでは平織組織をベースとしているが、交絡部が少ない１／３組織等では同様な理由から剛性不足になってしまうため好ましくない。
また、経糸接結糸は上面側緯糸と織り合わされてナックルを形成した後、下層に潜って下面側緯糸と織り合わされ、再び上面側緯糸と織り合わされる組織である。このような組織であるため織物内に大きな内部空間が形成され、十分なろ水性、通気性を確保することができる（図９参照）。
下面側層は下面側経糸の両側に配置する経糸接結糸と下面側経糸と共に１本の下面側緯糸の下を通り、下面側緯糸は下面側に５本分のロングクリンプを形成する構造であるため、剛性、耐摩耗性に優れた構造といえる。【００３１】
（実施形態２）
図３及び４は本発明に係る実施形態２の織物の意匠図及び経糸に沿った断面図である。経糸１６本からなる１６シャフトの織物であり、経糸の配置は実施形態１と同じである。
上面側層は経糸が２本の上面側緯糸の上、２本の上面側緯糸の下を通る組織と平織組織が交互に配置された組織であり、経糸接結糸（ｂ）と不完全上面側経糸（ｕ’）の組み合わせによって上面側表面に２／２組織を形成しており、完全上面側経糸（ｕ）によって平織組織を形成している。
不完全上面側経糸（ｕ’）は連続する２本の上面側緯糸の上を通るナックルが２箇所欠如した組織であり、その両側に経糸接結糸と下面側経糸からなる経糸接結糸の組（ｂ，ｄ）を配置している。そして、該不完全上面側経糸のナックルが欠如した部分を、その両側に配置するそれぞれの経糸接結糸（ｂ）が形成したナックルで補完することで、上面側表面に上面側経糸１本分の２／２組織を形成する。
本実施形態のように経糸接結糸（ｂ）は連続する２本の上面側緯糸の上を通ってナックルを形成する組織であってもよく、このように上面側表面を２種類の経糸組織で構成しても構わない。
下面側層は１本の下面側経糸の両隣に隣接する２本の経糸接結糸が交代で下面側経糸が通る下面側緯糸と同じ下面側緯糸の下を通るジグザグ組織であり、下面側緯糸もロングクリンプとなるため耐摩耗性、剛性に優れる。【００３２】
（実施形態３）
図５及び図６は本発明の実施形態３の織物の意匠図及び経糸に沿った断面図である。実施形態１と同じ１６シャフトの上面平織組織の織物だが、上面側に完全な平織組織を形成している完全上面側経糸（ｕ）は存在せず、上面側経糸の全てが不完全上面側経糸（ｕ’）となっている。
実施形態１、２では経糸接結糸と下面側経糸からなる経糸接結糸の組を配置していたが、本実施形態ではそれの代わりに２本の経糸接結糸（ｂ、Ｂ）からなる経糸接結糸の組を配置した。
不完全上面側経糸はナックルが２箇所欠如した平織組織であり、ナックルが欠如した部分をその両側に配置している経糸接結糸のナックルで補完することで、上面側表面に上面側経糸１本分の平織組織を形成している。【００３３】
具体的には、不完全上面側経糸（３ｕ’）は、上面側緯糸（６’ｕ、８’ｕ）の部分でナックルが欠如している平織組織である。そして、その片側隣の経糸接結糸（２Ｂ）が上面側緯糸（６’ｕ）と織り合わされてナックルを形成しており、不完全上面側経糸（３ｕ’）の欠如した部分を補完している。同様に、経糸接結糸（４ｂ）が上面側緯糸（８’ｕ）と織り合わされてナックルを形成しており、不完全上面側経糸（３ｕ’）の欠如した部分を補完している。
また、不完全上面側経糸（５ｕ’）においては、上面側緯糸（３’ｕ、５’ｕ）の部分でナックルが欠如している平織組織である。そして、その片側隣の経糸接結糸４Ｂが上面側緯糸（３’ｕ）と織り合わされてナックルを形成しており、不完全上面側経糸（５ｕ’）の欠如した部分を補完している。同様に、経糸接結糸（６ｂ）が上面側緯糸（５’ｕ）と織り合わされてナックルを形成しており、不完全上面側経糸（５ｕ’）の欠如した部分を補完している。
その他の部分も同様に経糸接結糸（ｂ、Ｂ）が不完全上面意匠図上の経糸（２、４、６、８）の部分に縦溝が形成され、織物全体として均一な間隔で縦方向の溝が形成される。【００３４】
本実施形態では、組を形成する２本の経糸接結糸が組内で分かれてそれぞれ別の不完全上面側経糸の欠如部を補完する組織である。また、前記実施形態と同様に経糸接結糸は上面側緯糸と織り合わされてナックルを形成した後、下層に潜って下面側緯糸と織り合わされる組織であるため、織物内に大きな内部空間が形成され、十分なろ水性、通気性を確保できる。
下面側層は隣接する下面側経糸と経糸接結糸が同じ下面側緯糸の下を通る、畝織り組織であり剛性に優れる。【００３５】
（参考例）
図７及び図８は参考例の織物の意匠図及び経糸に沿った断面図である。実施形態１と同じ１６シャフトの上面平織組織の織物だが、不完全上面側経糸（ｕ’）の欠如したナックルを、片側隣に配置する上面側経糸（ｕ’’）と経糸接結糸（ｂ）のナックルによって補完するものである。
本参考例においては、上面側に完全な平織組織を形成している完全上面側経糸（ｕ）は存在しておらず、経糸接結糸の組は経糸接結糸（ｂ）と上面側経糸（ｕ’’）とによって構成されている。
不完全上面側経糸（ｕ’）は、ナックルが４箇所欠如した平織組織であり、ナックルが欠如した部分をその片側隣に配置している経糸接結糸と上面側経糸のナックルで補完することで、上面側表面に上面側経糸１本分の平織組織を形成している。
【００３６】
具体的には、不完全上面側経糸（１ｕ’）は、上面側緯糸（３’ｕ、７’ｕ、１１’ｕ、１５’ｕ）の部分でナックルが欠如している平織組織である。そして、その片側隣の経糸接結糸（２ｂ）が上面側緯糸（３’ｕ、１１’）ｕと織り合わされてナックルを形成しており、更に上面側経糸（２ｕ’’）が上面側緯糸（７’ｕ、１５’ｕ）と織り合わされてナックルを形成しており、不完全上面側経糸（１ｕ’）の欠如した部分を補完している。前述の実施形態では不完全上面側経糸はその両側に配置している経糸接結糸によってナックルを補完していたが、このように経糸接結糸と、それと組になっている上面側経糸で組織を補完しても構わない。【００３７】
その他の部分も同様に経糸接結糸（ｂ）と上面側経糸（ｕ’’）が不完全上面側経糸（ｕ’）に寄り合うため、意匠図上の経糸（２、４、６、８）の部分に縦溝が形成され、織物全体として均一な間隔で縦方向の溝が形成される。【００３８】
このようにして、組織の組み合わせにより上面側表面に縦方向に伸びる溝を形成した織物とすることで、脱水性、通気性、表面平滑性、繊維支持性、剛性に優れた織物とすることができる。
【図面の簡単な説明】
【００３９】
【図１】本発明に係る実施形態１の完全組織を示す意匠図である。
【図２】実施形態１の経糸１−４に沿った断面図である。
【図３】本発明に係る実施形態２の完全組織を示す意匠図である。
【図４】実施形態２の経糸１−４に沿った断面図である。
【図５】本発明に係る実施形態３の完全組織を示す意匠図である。
【図６】実施形態３の経糸１−４に沿った断面図である。
【図７】参考例の完全組織を示す意匠図である。
【図８】参考例の経糸１−４に沿った断面図である。
【図９】経糸接結糸によって形成された織物の内部空間を示す。
【図１０】隣接する２本の経糸と緯糸を用いて縦溝が形成される理論を説明するための図である。
【符号の説明】
【００４０】
１ｕ、３ｕ・・・  完全上面側経糸
１ｕ’、３ｕ’・・・  不完全上面側経糸
２ｕ’’、４ｕ’’・・・  経糸接結糸と組になっている上面側経糸
２ｂ、４ｂ・・・  経糸接結糸
２Ｂ、４Ｂ・・・  経糸接結糸
２ｄ、４ｄ・・・  下面側経糸
１’ｕ、２’ｕ・・・１６’ｕ  上面側緯糸
１’ｄ、３’ｄ・・・１５’ｄ  下面側緯糸
【図１】
0005466945.tif 000002
【図２】
0005466945.tif 000003
【図３】
0005466945.tif 000004
【図４】
0005466945.tif 000005
【図５】
0005466945.tif 000006
【図６】
0005466945.tif 000007
【図７】
0005466945.tif 000008
【図８】
0005466945.tif 000009
【図９】
0005466945.tif 000010
【図１０】
0005466945.tif 000011